(57)【要約】【課題】光源からの光の照射効率を高めることができるジェルネイル硬化装置を提供すること。【解決手段】本体２内の照射室８に、複数の光源１１の直線部１１Ａを、中央部ほど高く両側方ほど低くなるよう下方に凹となるように配列した光源群１２、及びこの光源群１２の外側を覆うように、おおよそ前記光源群１２に沿って下方に向かい凹となる曲面状に形成された反射板１３を設け、挿入口９から前記照射室８内に指先又は爪先を挿入し、前記光源１１からの放射光による光重合反応によって爪に塗布されたジェルネイルを重合、硬化させて樹脂被膜を形成するものであって、前記直線部１１Ａ間に突出するよう、前記反射板１３に突条部１４を形成したことで、前記光源１１から前記反射板１３に向かって浅い角度で放射された光を、前記突条１４で反射させて、前記照射室８内の手又は足を照射させるので、ジェルネイルを効率よく重合、硬化させることができる。【選択図】図４
0003151698.tif 000002
【実用新案登録請求の範囲】
【請求項１】
内部に照射室を有すると共にこの照射室と外部を連通する挿入口が形成された本体と、前記照射室内に設けられた複数の直線部を有する光源群と、この光源群の外側を覆うように設けられた反射板とを有するジェルネイル硬化装置において、
前記光源群の並べられた直線部が、中央部ほど高く両側方に向かうほど低くなるよう下方に向かって凹となるように配列され、前記反射板が、おおよそ前記光源群に沿って下方に向かい凹となる曲面状に形成されると共に、前記反射板が、前記直線部間に突出する突条部を有することを特徴とするジェルネイル硬化装置。
【請求項２】
前記光源群が、対をなす平行な直線部を有する光源を、直線部と交差する方向に複数並べて構成されていると共に、前記突条部が、前記光源の平行な直線部間に位置するように構成したことを特徴とする請求項１記載のジェルネイル硬化装置。
【考案の詳細な説明】
【技術分野】
【０００１】
本考案は、指の爪に塗布された光重合可能なモノマー又はオリゴマーに紫外線等の光を照射することで重合、硬化させるジェルネイル硬化装置に関するものである。
【背景技術】
【０００２】
従来、この種のジェルネイル硬化装置としては、照射室内に複数の照射ランプを設け、この照射ランプから放射された光によって、ケーシング開口から挿入された手の指に塗布されたプラスチックを重合させるものが知られている（例えば、特許文献１参照。）。なお、照射ランプとしては、蛍光管の形状を有する線状光源が用いられる。
【先行技術文献】
【特許文献】
【０００３】
【特許文献１】特許第２５１８９３２号公報
【考案の概要】
【考案が解決しようとする課題】
【０００４】
しかしながら、このようなジェルネイル硬化装置においては、照射効率を向上させるために、光源の上方に反射板を設けた場合、光源から放射されて前記反射板に浅く当たった光が、他の光源に向かって反射されたり、前記反射板に沿って反射を繰り返して爪に当たらなかったりすることで、思うように照射効率が上がらないという問題があった。
【０００５】
本考案は以上の問題点を解決し、光源からの光の照射効率を高めて短時間でジェルネイルを重合、硬化させたり、出力の弱い光源を用いてジェルネイルを重合、硬化させたりすることができるジェルネイル硬化装置を提供することを目的とする。
【課題を解決するための手段】
【０００６】
本考案の請求項１に記載のジェルネイル硬化装置は、内部に照射室を有すると共にこの照射室と外部を連通する挿入口が形成された本体と、前記照射室内に設けられた複数の直線部を有する光源群と、この光源群の外側を覆うように設けられた反射板とを有するジェルネイル硬化装置において、前記光源群の並べられた直線部が、中央部ほど高く両側方ほど低くなるよう下方に向かって凹となるように配列され、前記反射板が、おおよそ前記光源群に沿って下方に向かい凹となる曲面状に形成されると共に、前記反射板が、前記直線部間に突出する突条部を有するものである。
【０００７】
また、本考案の請求項２に記載のジェルネイル硬化装置は、請求項１において、前記光源群が、対をなす平行な直線部を有する光源を、直線部と交差する方向に複数並べて構成されていると共に、前記突条部が、前記光源の平行な直線部間に位置するように構成したものである。
【考案の効果】
【０００８】
本考案の請求項１に記載のジェルネイル硬化装置は、以上のように構成することにより、モノマー又はオリゴマー状態のジェルネイルが爪に塗布された指先又は爪先を前記挿入口から前記照射室内に挿入し、この照射室内の前記光源群から放射される光によって、モノマー又はオリゴマー状態のジェルネイルを重合させてポリマー状態に硬化させる。この際、前記光源群の光源から放射された光のうち、前記反射板に向かって浅い角度で放射された光は、前記突条で反射して、前記照射室内の指先又は爪先に向かって照射されるので、爪に塗布されたジェルネイルを効率よく重合、硬化させることができる。
【０００９】
また、対をなす平行な直線部を有する光源を、直線部と交差する方向に複数並べて前記光源群を構成し、前記光源の平行な直線部間に前記突条部を位置させたことで、各光源同士が平行に並べられない場合であっても、少なくとも一つの光源の直線部同士は平行、即ち間隔が一定なので、手前から奥まで同じ形状となる単純な形状の前記突条部を容易に形成することができる。
【図面の簡単な説明】
【００１０】
【図１】本考案の一実施形態を示すネイル硬化器の正面図である。
【図２】同、右側面図である。
【図３】同、背面図である。
【図４】同、Ａ−Ａ端面図である。
【図５】同、光源の外観図である。
【考案を実施するための形態】
【００１１】
以下、本考案の実施形態について、図１乃至図５に基づいて説明する。１は本考案のジェルネイル硬化装置である。このジェルネイル硬化装置１の本体２の正面には、電源スイッチ３、主操作スイッチ４、タイマー設定スイッチ５、及び表示部６が設けられている。また、前記本体２の下方両側部には、前記ジェルネイル硬化装置１を持ち上げるための指掛け部７が設けられている。更に、前記本体２には、その内部に照射室８が設けられていると共に、この照射室８内と前記本体２外とを連通する挿入口９が形成されている。なお、前記挿入口９は、前記本体２の下面から背面にかけて開口している。そして、前記挿入口９のうち、下開口部分９Ａは、蓋１０によって開閉自在に閉塞される。そして、前記挿入口９の下開口部分９Ａが前記蓋１０によって閉塞された状態であっても、前記挿入口９の後開口部分９Ｂは常に開放している。
【００１２】
前記照射室８には、四つの光源１１からなる光源群１２と、反射板１３が設けられている。なお、前記光源１１はＵ字状、即ち一対の直線部１１Ａと、これらの直線部１１Ａの端部同士を接続する曲線部１１Ｂとを有して構成されている。また、一対の前記直線部１１Ａは、ほぼ平行に形成されている。即ち、前記光源群１２は、八本の直線部１１Ａを有している。そして、前記各光源１１は、その直線部１１Ａの軸方向と交差する方向に並べて配置されている。また、前記各光源１１は、並べられた直線部１１Ａのうち、中央部に配置されたものが高く、両側方に配置されたものほど低くなるように、前記照射室８内に傾けて取り付けられている。なお、前記各光源１１は、前記後開口部分９Ｂ側が広がるように、前記照射室８内に配置されている。即ち、隣接する前記光源１１の直線部１１Ａ同士は、互いに平行ではない。また、前記反射板１３は、全体として、前記光源群１２の外側にほぼ沿うように、下方に向かって凹となる曲面状に形成されている。また、前記反射板１３には、前記直線部１１Ａ間で内側に突出するように、突条部１４が複数形成されている。なお、前記突条部１４は、前記各光源１１の平行な直線部１１Ａ間に突出するように形成されている。このため、手前から奥まで同じ形状で前記突条部１４を形成することができるので、前記反射板１３に単純な形状の突条部１４を容易に形成することができる。更に、前記蓋１０の上面には、平面状の下反射板１５が設けられている。
【００１３】
次に、本実施形態の作用について説明する。まず、前記ジェルネイル硬化装置１の操作者は、ジェルネイルと呼ばれる、ゲル状の光硬化樹脂のモノマー及び／又はオリゴマーと光重合開始剤等の混合物を、対面状態で、ネイルアートを施す客の手指の爪に塗布する。（なお、ここでは客としたが、操作者以外の他者であれば、客かどうかは問わない。以下、客を含む他者を、単に客と称する。）そして、客は、前記ジェルネイルが爪に塗布された手指を、前記挿入口９の後開口部分９Ｂから前記照射室８内に挿入する。この際、客は、掌側が下に、爪側が上になるように、前記照射室８内に手指を挿入する。そして、操作者は、前記ジェルネイル硬化装置１の電源スイッチ３を操作して電源を投入した後、前記表示部６を見ながら前記タイマー設定スイッチ５を操作して、紫外線の照射時間を設定し、前記主操作スイッチ４を操作して紫外線の照射を開始する。前記主操作スイッチ４が操作されると、前記各光源１１が通電し、これらの光源１１から紫外線が放射される。なお、本例の場合、ジェルネイルとして紫外線硬化型樹脂を用いたので、紫外線を放射する前記光源１１を用いたが、可視光線硬化型樹脂を用いるのであれば、可視光線を放射する光源を用いることになる。前記光源１１から放射された紫外線は、直接、或いは前記反射板１３で反射して、客の爪を照射する。なお、客の爪に当たらなかった紫外線が、前記蓋１０の上面に設けられた下反射板１５で上方に反射した後、前記反射板１３で再び下方に反射することで、紫外線の照射効率を高めることができる。そして、この紫外線によって、光重合反応が起き、客の爪の表面に樹脂被膜が形成される。そして、設定された照射時間が経過すると、前記光源１１が消灯する。
【００１４】
なお、客の足指の爪にネイルアートを施す場合、操作者は、前記挿入口９の下開口部分９Ａから前記蓋１０を取り外し、前記指掛け部７に指を掛けて前記ジェルネイル硬化装置１を持ち上げ、このジェルネイル硬化装置１を上方から客の足に被せる。以下の操作は、前述した通りである。また、操作しにくいという問題はあるものの、操作者が自身の爪にジェルネイルを塗布し、前記ジェルネイル硬化装置１を用いて硬化させることも可能である。
【００１５】
なお、本考案のように、前記各光源１１の各直線部１１Ａ及び前記反射板１３が全体として凹曲面状に形成されている場合、前記光源１１から浅い角度で前記反射板１３に入射した紫外線は、下方や内側ではなく、再び前記反射板１３に向かって反射されることが繰り返される可能性がある。そして、このような反射が繰り返された紫外線は、減衰し、ジェルネイルの硬化に関与しない虞がある。しかしながら、本考案では、前記反射板１３に複数の前記突条部１４が形成されているので、前記光源１１から浅い角度で前記反射板１３に入射した紫外線は、減衰する前に、前記突条部１４にて下方或いは内側に反射される。そして、前記突条部１４で反射した紫外線は、直接、又は前記下反射板１５と反射板１３との間で何度か反射した後、客の爪を照射する。このように、減衰によってジェルネイルの硬化に関与しない可能性のあった紫外線を、ジェルネイルの硬化に関与させることで、紫外線の照射効率を高めることができるので、従来よりも短時間でジェルネイルを硬化させることができる。或いは、従来よりも出力の小さな光源１１を用いたとしても、十分短い時間でジェルネイルを硬化させることができる。
【００１６】
以上のように本考案のジェルネイル硬化装置１は、本体２内部の照射室８に、複数の光源１１の複数の直線部１１Ａを、中央部ほど高く両側方ほど低くなるよう下方に向かって凹となるように配列して構成された光源群１２、及びこの光源群１２の外側を覆うように、おおよそ前記光源群１２に沿って下方に向かい凹となる曲面状に形成された反射板１３を設け、挿入口９から前記照射室８内に、ジェルネイルが爪に塗布された指先又は爪先を挿入し、前記光源１１から放射された光による光重合反応によって爪の表面に樹脂被膜を形成するものであって、前記直線部１１Ａ間に突出するように、前記反射板１３に突条部１４を形成したことで、前記光源１１から放射された光のうち、前記反射板１３に向かって浅い角度で放射された光を、前記突条１４で反射させて、前記照射室８内の指先又は爪先を照射させるので、爪に塗布されたジェルネイルを効率よく重合、硬化させることができるものである。
【００１７】
また、本考案のジェルネイル硬化装置１は、対をなす平行な前記直線部１１Ａを有する前記光源１１を、前記直線部１１と交差する方向に複数並べて前記光源群１２を構成し、前記光源１１の平行な直線部１１Ａ間に前記突条部１４を位置させたことで、各光源１１同士が平行に並べられない場合であっても、少なくとも一つの光源１１の直線部１１Ａ同士は平行、即ち間隔が一定なので、手前から奥まで同じ形状となる単純な形状の前記突条部１４を容易に形成することができるものである。
【００１８】
なお、本考案は以上の実施形態に限定されるものではなく、考案の要旨の範囲内で種々の変形実施が可能である。例えば、上記実施形態では、光源の対をなす平行な直線部間のみに突条部を設けたが、各直線部の間隔が一定且つ十分であれば、全ての直線部間に突条部を形成しても良い。
【符号の説明】
【００１９】
１  ジェルネイル硬化装置
２  本体
８  照射室
９  挿入口
９Ａ  下開口部分
９Ｂ  後開口部分
１１  光源
１１Ａ  直線部
１２  光源群
１３  反射板
１４  突条部
【図１】
0003151698.tif 000003
【図２】
0003151698.tif 000004
【図３】
0003151698.tif 000005
【図４】
0003151698.tif 000006
【図５】
0003151698.tif 000007